(57)【要約】【課題】アルカリ金属、アルカリ土類金属、銅などの炎色反応を呈する金属ないし金属化合物を含む芯を有しない棒状の燃焼体の燃焼装置に関し、炎が一定の位置で燃焼し続け、テーブルに置いたり手で持ったりしたときの体裁が良い上記装置を提供する。【解決手段】上端に内側に延びる係止爪７を備えた筒体２に棒状燃焼体１を挿入し、その底部を前記上端側に付勢するばね３を設けて、燃焼により棒状燃焼体１が短くなっても、ばね３により上方に押動されて常に先端が筒体上端の係止爪７に係止された状態で燃焼し続けるようにする。筒体２をテーブル等に置いた台５に立設すれば、着色炎が常時一定の高さで燃焼し続けることになり、また筒体２を手に持った状態で棒状燃焼体１を最後まで燃焼させることができる。【選択図】      図１
2006153299.tif 000002
【特許請求の範囲】
【請求項１】
炎色反応を呈する金属ないし金属化合物を含む可燃性物質を棒状に成形してなる燃焼体(1)の燃焼装置であって、上端に内側に延びる係止爪(7)を備えた不燃性の筒体(2)と、この筒体中間部ないし底部のばね受け(4)と、前記筒体に挿入された前記燃焼体を前記上端に向けて付勢するばね(3)とを備えた、着色光を発する棒状燃焼体の燃焼装置。
【請求項２】
前記筒体が本体(14)と、この本体の上端に係着される前記係止爪を備えたキャップ(15)とを備えている、請求項１記載の燃焼装置。
【請求項３】
前記ばね受けが前記筒体を係脱自在に立設する台(5)に設けられている、請求項１又は２記載の燃焼装置。
【請求項４】
前記筒体がその上方部に皿状ないし椀状の灰受け(8)を備えている、請求項１、２又は３記載の燃焼装置。
【発明の詳細な説明】
【技術分野】
【０００１】
この発明は、アルカリ金属、アルカリ土類金属、銅などの炎色反応を呈する金属ないし金属化合物を含む芯を有しない棒状の燃焼体の燃焼装置に関するものである。
【背景技術】
【０００２】
リチウムや銅などの炎色反応を呈する金属化合物の粉末をろうなどの固形燃料や結合材に混合してプレスにより細長い棒状に成形した芯を有しない燃焼体は、点火したときに鮮やかな着色光を発しながら燃焼する。
【０００３】
従ってこのような燃焼体をパーティーなどのテーブルに立てて光源としたとき、種々の色の炎でテーブルを装飾することができる。しかし芯を有しない燃焼体は、点火したとき、炎が燃焼体の表面に広がって表面全体が燃焼する状態となり、短時間で燃え尽きてしまうという問題があった。
【０００４】
本願発明者は、特許文献２において、炎色反応を呈する金属ないし金属化合物を含む芯を有しない棒状の燃焼体を、その上端から順次下方へとゆっくりと燃焼させる技術手段を提案している。これにより、炎色反応による鮮やかな各種の色彩の炎を１０ないし数十分にわたって発光し続けることができ、パーティーなどにおいての装飾的な光源として利用することができる。
【特許文献１】特開２０００−１４６４９７号公報
【特許文献２】特開２００４−６３３７７号公報
【発明の開示】
【発明が解決しようとする課題】
【０００５】
上記特許文献２で提案した技術は、棒状燃焼体の頂部に内側に延びる係止爪を供えた燃焼制御リングを嵌装して、棒状体頂部の炎が周面に燃え広がるのを防止して燃焼するというものである。棒状体は燃焼につれて短くなり、燃焼制御リングも下降していくから、通常のろうそくと同様に、燃焼が進むにつれて炎の位置は下がっていく。このため、多数の棒状燃焼体を並べて燃焼したとき、燃焼の遅速によって炎の位置に段差が生じてくる。また燃焼制御リングを重力を利用して下降させているので、燃焼体を横にした状態で燃焼させることができない。
【０００６】
この発明は、特許文献２で提案した方法で棒状体を燃焼するための好ましい装置を提供することを課題としており、炎が一定の位置で燃焼し続け、テーブルに置いたり手で持ったりしたときの体裁が良く、燃焼に伴って生ずる燃えかすが散乱するのを防止することができる、棒状燃焼体の燃焼装置を提供することを課題としている。
【課題を解決するための手段】
【０００７】
この発明は、上端に内側に延びる係止爪７を備えた筒体２に棒状燃焼体１を挿入し、その底部を前記上端側に付勢するばね３を設けて、燃焼により棒状燃焼体１が短くなっても、ばね３により上方に押動されて常に先端が筒体上端の係止爪７に係止された状態で燃焼し続けるようにすることにより、上記課題を解決している。
【０００８】
筒体２をテーブル等に置いた台５に立設すれば、着色炎が常時一定の高さで燃焼し続けることになり、また筒体２を手に持った状態で棒状燃焼体１を最後まで燃焼させることができる。そして、筒体２の上方部に皿状ないし椀状の灰受け８を設けることにより、燃焼に伴う燃えかすの飛散が防止され、同時に燃焼によって加熱された筒体上部の熱が、この灰受け部分で放熱されて、筒体下方部の温度上昇を低減できる。
【０００９】
上記方法で棒状燃焼体１を燃焼させるためには、頂部を係止爪７で係止し、かつ底部をばね３で付勢された状態で棒状燃焼体１を筒体２に挿入する必要がある。従って、筒体２の挿入時には、係止爪７又はばね３のいずれか一方を取り外せる構造とする必要がある。前者の構造は、筒体２を本体１４と、これに着脱されるキャップ１５とで構成し、キャップ１５に係止爪７を設ける構造とすればよい。また、後者の構造は、ばね受け４を着脱自在にすることによって実現できる。
【００１０】
筒体２を長くして手に持って燃焼させたり、テーブル上の高い位置で燃焼させたりするときは、ばね受け４を筒体２の中間部に設けることができる。筒体２があまり長くないときは、ばね受け４は筒体２の底部に設けられる。筒体２を台５上に立設するようにしたときは、その台５の上面をばね受けとして利用することができる。この場合には、ばね３の付勢力で筒体２が台５から浮き上がらないように係着部２０を設ける。
【００１１】
筒体本体１４とキャップ１５、あるいは筒体２と台５の係着手段としては、嵌め合い部分の摩擦力により係着される構造、両者間の相対回動による突起９、１７と溝１０、２０の係合による係着構造などが採用可能である。
【００１２】
本願の請求項１の発明に係る着色炎を発する棒状燃焼体の燃焼装置は、炎色反応を呈する金属ないし金属化合物を含む可燃性物質を棒状に成形してなる燃焼体１の燃焼装置であって、上端に内側に延びる係止爪７を備えた不燃性の筒体２と、この筒体中間部ないし底部のばね受け４と、前記筒体に挿入された前記燃焼体を前記上端に向けて付勢するばね３とを備えていることを特徴とするものである。
【００１３】
本願の請求項２の発明に係る棒状燃焼体の燃焼装置は、上記請求項１記載の構成を備えた燃焼装置において、前記筒体２が、本体１４とこの本体の上端に係着される前記係止爪７を備えたキャップ１５とを備えていることを特徴とするものである。
【００１４】
本願の請求項３の発明に係る棒状燃焼体の燃焼装置は、前記請求項１又は２記載の構成を備えた燃焼装置において、前記ばね受けが前記筒体２を係脱自在に立設する台５に設けられていることを特徴とするものである。
【００１５】
また、本願の請求項４の発明に係る棒状燃焼体の燃焼装置は、前記請求項１、２又は３記載の構成を備えた燃焼装置において、前記筒体２がその上方部に皿状ないし椀状の灰受け８を備えていることを特徴とするものである。
【発明の効果】
【００１６】
この発明により、着色炎が常に一定の位置で燃焼する燃焼装置が得られる。従って、多数の燃焼体を一列に並べて燃焼したときや、虹のように色の異なる複数列を弧状に並べて燃焼したとき、燃焼に遅速があっても列が乱れることがない。また、燃焼体を横向きにして用いることもできるから、種々の態様での使用が可能である。更に、装飾性にも優れ、手に持ったりテーブルに置いたりするのに便利な燃焼装置が得られるので、パーティー等における着色炎を用いた装飾や演出をより優美で利用しやすいものにできるという効果がある。
【発明を実施するための最良の形態】
【００１７】
以下、図面を参照して、この発明の実施形態を説明する。図１及び図２は、第１実施例を示した図で、図１は分解斜視図、図２は使用状態を示す斜視図である。図中、１は棒状燃焼体、２は筒体、３はばね、４はばね受け、５は台である。
【００１８】
棒状燃焼体１は、炎色反応を呈する金属化合物、例えば炎を緑色にする硫酸銅、紫色にするヨウ素酸カリウム、赤色にする硝酸ナトリウムなどの粉末を蝋その他の固形燃料に混合してプレスにより細長いろうそく状の棒状体に成形したものである。
【００１９】
筒体には、金属のパイプで、その上端にプレスで打ち抜き成形した３本の爪を内側へ折り曲げて、係止爪７が形成されている。筒体２の上方部外周には、アルミニウム製の椀状の灰受け８が圧入により固定されている。筒体２の下端外周には、円板の対向する両側円周部を平行に切り落とした形状の係着鍔９が溶着されている。
【００２０】
ばね３は、筒体２より長い自由長さを有する圧縮コイルばねで、筒体２内に挿入され、棒状燃焼体１の底部とばね受け４との間に装架される。
【００２１】
ばね受け４は、矩形の金属板の対向両辺を上方にコの字形に屈曲して係着溝１０を形成し、中央にばねガイドピン１１を立設した構造である。台５は陶器製の皿で、ばね受け４はその底面を台５の中央に両面接着テープなどで貼着されている。
【００２２】
上記構造において、棒状燃焼体１を筒体２の底部から挿入し、更にばね３を挿入して、ばね３の下端にばねガイドピン１１を挿入した状態で、係着鍔９をばね受け４の内側に挿入したあと９０度回動することにより、係着鍔９の突起１２を係着溝１０に係合して、筒体２を台５上に立設する（図２）。
【００２３】
この状態で棒状燃焼体１の頂部は、係止爪７に係止された状態で筒体２の上端開口に臨出しているから、この頂部に火を点けると、棒状燃焼体１に混合された金属化合物の種類によって異なる色の炎を上げて燃焼する。棒状燃焼体１の周面は、筒体２で覆われているので、炎が周面に広がることなく、頂部のみが燃焼する。
【００２４】
燃焼に伴って棒状体の頂部は消失し、金属化合物の燃えかすが発生し、棒状燃焼体１は短くなって行くが、ばね３の付勢力で棒状燃焼体１は係止爪７に押し付けられた状態を保持して燃焼を続け、燃えかすの大部分は筒体２の内側に落ち、一部が灰受け８に落下する。
【００２５】
図３及び図４は、第２実施例を示した図で、図３は分解斜視図、図４は筒体の底面図である。この第２実施例は、ばね３及び棒状燃焼体１を筒体２の上部から挿入する構造で、筒体２は本体１４とその上端に係着されるキャップ１５とで構成されている。
【００２６】
筒体本体１４は、下端を切り欠いて形成した舌片１６を内側へ折り曲げてばね受け４が形成されている（図４）。筒体２の上方部には、第１実施例と同様な灰受け８が溶着されている。筒体２の上端には、円周を３等分する位置に鉤形の係着溝２０が形成されている。
【００２７】
キャップ１５は、筒体本体１４の内径に嵌装される短円筒状で、その上端には第１実施例と同様な係止爪７が形成されている。キャップ１５の下端には、円周を３等分する位置にプレス成形した短い舌片を外側に折り曲げて、係着用の突起１７が形成されている。
【００２８】
棒状燃焼体１及びばね３は、第１実施例で説明したと同様なものである。台５は、円板状の台板１８に筒体２の底部が内径に嵌装される支持パイプ１９を溶着した構造である。
【００２９】
上記第２実施例のものでは、キャップ１５を外してばね３と棒状燃焼体１とを筒体２内に挿入し、キャップ１５で棒状燃焼体１を筒体２内に押し込み、突起１７を鉤形の係着溝１０に挿入して回動することにより、キャップ１５を筒体本体１４の上端に係着する。突起１７は、ばね３の付勢力により上方に押されて係着溝１０の先端の鉤の部分に挿入されるから、キャップの係着が外れることはない。そして、筒体２を手で持つか、あるいは台５に立設して、筒体２の上端に係止爪７で係止されて臨出している棒状燃焼体１の頂部に点火して燃焼させる。
【００３０】
図５は、第２実施例の筒体本体１４を長くして、ばね受けを筒体の中間部に形成した例を示した斜視図である。この例では、筒体本体１４の中間部にプレス成形した舌片を図４に示したように内側に折曲げてばね受け４を形成している。２１は舌片１６を切り取った後の空所である。
【図面の簡単な説明】
【００３１】
【図１】第１実施例の分解斜視図
【図２】第１実施例の使用状態を示す斜視図
【図３】第２実施例の分解斜視図
【図４】第２実施例の筒体の底面図
【図５】ばね受けを筒体中間部に設けた例を示す筒体の斜視図
【符号の説明】
【００３２】
１  棒状燃焼体
２  筒体
３  ばね
４  ばね受け
５  台
７  係止爪
８  灰受け
14  本体
15  キャップ
【図１】
2006153299.tif 000003
【図２】
2006153299.tif 000004
【図３】
2006153299.tif 000005
【図４】
2006153299.tif 000006
【図５】
2006153299.tif 000007